【手続補正書】
【提出日】平成20年9月10日(2008.9.10)
【手続補正１】
【補正対象書類名】明細書
【補正対象項目名】特許請求の範囲
【補正方法】変更
【補正の内容】
【特許請求の範囲】
【請求項１】  ホームページに付けられた固有のＵＲＬの記号体と；
ホームページに付けられた固有のＵＲＬの記号体を読み取るための読み取り装置と；
前記読み取り装置で読み取った記号体をＵＲＬに変換するための変換装置を備えるシステムサーバーと；
前記ＵＲＬの変換後、該ＵＲＬのホームページが表示装置上に表示されるまでの表示待ち時間を利用して広告を配信するための広告配信サーバーと；
前記記号体を登録した者に登録料を課金し及び広告配信の依頼者に広告配信料を課金すると共に該課金の一部をホームページ作成者に戻すための課金手段と；  を備えるホームページへのアクセス装置。
【請求項２】  前記ＵＲＬの変換後、該ＵＲＬのホームページが表示装置上に表示されるまでの表示待ち時間を利用して広告を配信する場合と、直接該ＵＲＬのホームページを表示する場合とに切換えるための表示切替え手段をさらに備えることを特徴とする請求項１記載のホームページへのアクセス装置。
【請求項３】  前記配信された広告から該広告提供会社のホームページにリンクさせるリンク手段をさらに備えることを特徴とする請求項１記載のホームページへのアクセス装置。
【請求項４】  前記課金手段は、ユーザーによる記号体のスキャンニイングにより得られる情報データからアクセス件数を計数し、ユーザーの商品趣味・嗜好情報を解析してなるマーケッテング手法を利用して得られるホームページ情報を基に広告配信料を決定してなることを特徴とする請求項１記載のホームページへのアクセス装置。
【請求項５】  前記課金手段は、前記表示待ち時間に配信される広告配信時間の長さにより課金を可変して、よって前記広告配信時間を長くしてホームページ作成者の広告配信料を多くしてなることを特徴とする請求項１記載のホームページへのアクセス装置。
【請求項６】  前記記号体は、バーコード等の記号化データ又は数字羅列の数字化データ等である特徴とする請求項１記載のホームページへのアクセス装置。
【請求項７】  前記表示待ち時間は、可変してなることを特徴とする請求項１記載のホームページへのアクセス装置。
【請求項８】  ホームページに付けられた固有のＵＲＬの記号体と；
ホームページに付けられた固有のＵＲＬの記号体を読み取るための読み取り装置と；
前記読み取り装置で読み取った記号体をＵＲＬに変換するための変換装置を備えるシステムサーバーと；
前記ＵＲＬの変換後、該ＵＲＬのホームページが表示装置上に表示されるまでの表示待ち時間を利用してコンテンツを配信するためのコンテンツ配信サーバーと；
前記記号体を登録した者に登録料を課金し及びコンテンツ配信の依頼者にコンテンツ配信料を課金すると共に該課金の一部をホームページ作成者に戻すための課金手段と；
を備えるホームページへのアクセス装置。
【請求項９】  該コンテンツ配信サーバーは、提供するコンテンツの種類と同じ数を備えることを特徴とする請求項８記載のホームページへのアクセス装置。
【請求項１０】  前記記号体は、バーコード等の記号化データ又は数字列記の数字化データ等である特徴とする請求項８記載のホームページへのアクセス装置。
【請求項１１】  前記表示待ち時間は、可変してなることを特徴とする請求項８記載のホームページへのアクセス装置。
【請求項１２】  ホームページに付けられた固有のＵＲＬの記号体を読み取り、該記号体をＵＲＬに変換後、該ＵＲＬのホームページが表示装置上に表示されるまでの表示待ち時間を利用して広告を配信し、かつ前記記号体を登録した者に登録料を課金し及び広告配信の依頼者に広告配信料を課金すると共に該課金の一部をホームページ作成者に戻してなるホームページへのアクセス装置に使用される該記号体を読み取るための読み取り装置であって、該読み取り装置は、発光体と、集光レンズと、撮像手段とを備え、該発光体から発せられる光で前記記号体表示面を照射し、その反射光を集光レンズで集めて撮像手段に結像されてなる読み取り装置。
【請求項１３】  ホームページに付けられた固有のＵＲＬの記号体を読み取り、該記号体をＵＲＬに変換後、該ＵＲＬのホームページが表示装置上に表示されるまでの表示待ち時間を利用して広告を配信し、かつ前記記号体を登録した者に登録料を課金し及び広告配信の依頼者に広告配信料を課金すると共に該課金の一部をホームページ作成者に戻してなるホームページへのアクセス装置に使用される記号体を掲載した媒体。
【請求項１４】  ホームページに付けられた固有のＵＲＬの記号体を読み取りＵＲＬに変換する工程と； 
前記ＵＲＬのホームページが表示装置上に表示されるまでの待ち時間の間に広告を配信する工程と；
前記記号体を登録した者に登録料を課金し及び広告配信の依頼者に広告配信料を課金すると共に該課金の一部をホームページ作成者に戻すための課金工程と；
を備えるホームページへのアクセス方法。
【請求項１５】  前記ＵＲＬの変換後、該ＵＲＬのホームページを表示するまでの表示待ち時間を利用して広告を配信する場合と、直接該ＵＲＬのホームページを表示する場合とに切換える表示切替える工程をさらに備えることを特徴とする請求項１４記載のホームページへのアクセス方法。
【請求項１６】  前記配信された広告から広告提供会社のホームページにリンクさせる接続工程をさらに備えることを特徴とする請求項１４記載のホームページへのアクセス方法。
【請求項１７】  前記課金工程は、ユーザーからの前記記号体のスキャンニイングにより得られる情報データからアクセス件数を計数し、ユーザーの商品趣味・嗜好情報を解析してなるマーケッテング手法を利用して得られるホームページ情報を基に広告配信料を決定する工程を備えることを特徴とする請求項１４記載のホームページへのアクセス方法。
【請求項１８】  前記課金工程は、広告提供会社が、定期的に公開されるマーケッテング手法を利用して得られるホームページ情報を基にどのホームページへ広告配信を出すかを決定する工程をさらに備えることを特徴とする請求項１４記載のホームページへのアクセス方法。
【請求項１９】  ホームページの登録件数を高めるためにインターネット上でのコンテンツ収集広場の作成や雑誌等での登録内容の紹介を行う工程をさらに備えることを特徴とする請求項１４記載のホームページへのアクセス方法。
【請求項２０】  前記広告配信料は、利用回数、放映時間の占有割合、チャンネル数、チャンネル選択の際の比率に分けによって決定されることを特徴とする請求項１４記載のホームページへのアクセス方法。
【請求項２１】  前記課金工程は、広告を配信しない場合にチャンネル占有使用料を課金することを特徴とする請求項１４記載のホームページへのアクセス方法。
【請求項２２】  前記ホームページの表示待ち時間を任意に設定可能とすることを特徴とする請求項１４記載のホームページへのアクセス方法。
【請求項２３】  所定のチャネルコードを帯域別に区分して使用者から加入申請を受け、申請されたチャネルコードに対して認証するチャネルサーバーと；
前記認証されたそれぞれのチャネルコードに対応する広告を提供するか、又は対応する広告が設定されていない場合は一般広告を提供する広告サーバーと；
前記申請されたチャネルコードに対応し、所定のＵＲＬのウエブページを提供する加入者サーバーと；
任意のチャネルコードを入力し、所定のＵＲＬのウエブページとの接続を要請する入力ターミナルと；
前記入力ターミナルからウエブページとの接続が要請されると、所定の広告を出力した後、入力されるチャネルコードを前記チャネルサーバーを介して照会し、該当するウエブページと接続するように制御する中継サーバーと；
を備えるチャネルコードを利用したインターネット広告機能を有するＵＲＬ中継システム。
【請求項２４】  前記チャネルサーバーは、前記認証されたチャネルコードと対応するＵＲＬのデータを登録させるチャネルデータベースをさらに備えることを特徴とする請求項２３記載のチャネルコードを利用したインターネット広告機能を有するＵＲＬ中継システム。
【請求項２５】  前記広告サーバーは、前記認証されたチャネルコードと対応する広告のデータを登録させる広告データベースをさらに備えることを特徴とする請求項２３記載のチャネルコードを利用したインターネット広告機能を有するＵＲＬ中継システム。
【請求項２６】  前記中継サーバーは、前記チャネルサーバーと前記広告サーバー及び入力ターミナルの間になされた接続に伴う接続時間、チャネルコード、広告種類、広告時間の情報を登録させるトランザクションデータベースをさらに備えることを特徴とする請求項２３記載のチャネルコードを利用したインターネット広告機能を有するＵＲＬ中継システム。
【請求項２７】  前記入力ターミナルは、チャネルコードを入力させる入力装置と、前記入力装置から入力されたチャネルコードを前記中継サーバーに伝送させる通信インターフェースとを備えることを特徴とする請求項２３記載のチャネルコードを利用したインターネット広告機能を有するＵＲＬ中継システム。
【請求項２８】  前記入力ターミナルは、バーコードリーダーと、前記バーコードリーダーから読み取ったチャネルコードをインターネットを介して前記中継サーバーに伝送させるデータ処理装置とを備えることを特徴とする請求項２７記載のチャネルコードを利用したインターネット広告機能を有するＵＲＬ中継システム。
【請求項２９】  前記入力ターミナルは、バーコードリーダーと、前記バーコードリーダーから読み取ったチャネルコードをインターネットと接続されたウエブテレビジョンに無線で伝送させるリモコンとを備えることを特徴とする請求項２７記載のチャネルコードを利用したインターネット広告機能を有するＵＲＬ中継システム。
【請求項３０】  前記入力ターミナルは、バーコードリーダーと、前記バーコードリーダーから読み取ったチャネルコードを移動通信網を介して前記中継サーバーに伝送させる携帯電話とを備えることを特徴とする請求項２７記載のチャネルコードを利用したインターネット広告機能を有するＵＲＬ中継システム。
【請求項３１】  前記バーコードは、チャネルコードを読み取れば、前記読み取ったチャネルコードに中継サーバーのＵＲＬ住所を付加し出力させることを特徴とする請求項２８から３０のいずれか１項記載のチャネルコードを利用したインターネット広告機能を有するＵＲＬ中継システム。
【請求項３２】  前記チャネルサーバーは、チャネルコードの加入者申請を受け；
前記申請された加入者の加入許可の可否を判断し；
加入が許された加入者に対し許容されたチャネルコードの範囲を通知し；
通知されたチャネルコードに対する登録要請情報を受信し；
受信した登録要請情報に基づきチャネルコードの登録の可否を判断し；
チャネルコードの登録が可能な場合は、チャネルコードの登録が許されたことを通知し；
チャネルコードの登録が可能な場合は、前記受信した登録要請情報を登録させることを特徴とする請求項２３記載のチャネルコードを利用したインターネット広告機能を有するＵＲＬ中継システム。
【請求項３３】  前記チャネルサーバーは、チャネルコードの変更申請を受け；
前記申請されたチャネルコードの変更の申請者が登録された加入者であるか否かを判断し；
申請者が加入者である場合は、加入者から変更を望むチャネルコードの変更要請情報を受信し；
チャネルコードが変更可能な場合は、チャネルコードの変更許可を通知し；
許可されたチャネルコードの情報を変更登録させることを特徴とする請求項２３記載のチャネルコードを利用したインターネット広告機能を有するＵＲＬ中継システム。
【請求項３４】  前記中継サーバーは、チャネルコードを受信し；
前記受信したチャネルコードをチャネルサーバーに照会して登録されたチャネルコードであるか否かを判断し；
前記チャネルコードが登録された場合は、チャネルサーバーに照会して提供される広告の有無を判断し；
提供される広告があるチャネルコードの場合は、チャネルサーバーに照会して受信したチャネルコードに対応するＵＲＬを抽出し、前記チャネルコードの伝送側に前記ＵＲＬにリンクされるようにし；
前記伝送側が前記ＵＲＬにリンクされる間、前記広告サーバーに登録された広告を照会して広告を抽出した後、前記伝送側に伝送させて広告し；
前記伝送側が前記ＵＲＬにリンクされると、前記伝送側の広告を中断させ、前記チャネルコードを受信した時間と、受信したチャネルコードと、提供された広告の情報、広告時間の情報をトランザクションに保管することを特徴とする請求項２３記載のチャネルコードを利用したインターネット広告機能を有するＵＲＬ中継システム。
【請求項３５】  前記中継サーバーは、チャネルコードを受信し；
前記受信したチャネルコードをチャネルサーバーに照会して登録されたチャネルコードであるか否かを判断し；
前記チャネルコードが登録された場合は、チャネルサーバーに照会して提供される広告の有無を判断し；
提供される広告があるチャネルコードの場合は、前記広告サーバーに登録された広告を照会して広告を抽出した後、前記伝送側に伝送させ所定の時間の間広告し；
チャネルサーバーに照会して前記受信されたチャネルコードに対応するＵＲＬを抽出し、前記チャネルコードの伝送側が前記ＵＲＬにリンクされるようにし；
前記チャネルコードを受信した時間と、受信したチャネルコードと、提供された広告の情報、広告時間の情報をトランザクションに保管することを特徴とする請求項２３記載のチャネルコードを利用したインターネット広告機能を有するＵＲＬ中継システム。
【請求項３６】  前記中継サーバーは、広告する場合、広告サーバーを照会してチャネルコードに指定された広告の有無を判断し、指定された広告がある場合は、該当する広告を抽出し、指定された広告がない場合は一般広告を抽出し、前記抽出された広告をチャネルコードの送信側に伝送することを特徴とする請求項３４又は３５記載のチャネルコードを利用したインターネット広告機能を有するＵＲＬ中継システム。
【手続補正２】
【補正対象書類名】明細書
【補正対象項目名】００１１
【補正方法】変更
【補正の内容】
【００１１】
請求項８に係るホームページへのアクセス装置は、ホームページに付けられた固有のＵＲＬの記号体と；ホームページに付けられた固有のＵＲＬの記号体を読み取るための読み取り装置と；前記読み取り装置で読み取った記号体をＵＲＬに変換するための変換装置を備えるシステムサーバーと；前記ＵＲＬの変換後、該ＵＲＬのホームページが表示装置上に表示されるまでの表示待ち時間を利用してコンテンツを配信するためのコンテンツ配信サーバーと；前記記号体を登録した者に登録料を課金し及びコンテンツ配信の依頼者にコンテンツ配信料を課金すると共に該課金の一部をホームページ作成者に戻すための課金手段と；を備える。
【手続補正３】
【補正対象書類名】明細書
【補正対象項目名】００１２
【補正方法】変更
【補正の内容】
【００１２】
請求項９に係るホームページへのアクセス装置は、該コンテンツ配信サーバーが、提供するコンテンツの種類と同じ数を備えることを特徴とする。
【手続補正４】
【補正対象書類名】明細書
【補正対象項目名】００３１
【補正方法】変更
【補正の内容】
【００３１】
請求項２８に係るチャネルコードを利用したインターネット広告機能を有するＵＲＬ中継システムは、前記入力ターミナルが、バーコードリーダーと、前記バーコードリーダーから読み取ったチャネルコードをインターネットを介して前記中継サーバーに伝送させるデータ処理装置とを備えることを特徴とする。
【手続補正５】
【補正対象書類名】明細書
【補正対象項目名】００３２
【補正方法】変更
【補正の内容】
【００３２】
請求項２９に係るチャネルコードを利用したインターネット広告機能を有するＵＲＬ中継システムは、前記入力ターミナルが、バーコードリーダーと、前記バーコードリーダーから読み取ったチャネルコードをインターネットと接続されたウエブテレビジョンに無線で伝送させるリモコンとを備えることを特徴とする。
【手続補正６】
【補正対象書類名】明細書
【補正対象項目名】００３３
【補正方法】変更
【補正の内容】
【００３３】
請求項３０に係るチャネルコードを利用したインターネット広告機能を有するＵＲＬ中継システムは、前記入力ターミナルが、バーコードリーダーと、前記バーコードリーダーから読み取ったチャネルコードを移動通信網を介して前記中継サーバーに伝送させる携帯電話とを備えることを特徴とする。
【手続補正７】
【補正対象書類名】明細書
【補正対象項目名】００３４
【補正方法】変更
【補正の内容】
【００３４】
請求項３１に係るチャネルコードを利用したインターネット広告機能を有するＵＲＬ中継システムは、前記バーコードが、チャネルコードを読み取れば、前記読み取ったチャネルコードに中継サーバーのＵＲＬ住所を付加し出力させることを特徴とする。